(57)【要約】  特定の実施形態によれば、ベアラ状態不整合を回避するための、ユーザ機器（ＵＥ）（３００）による方法（４００）が提供され、この方法は、ネットワークノード（６００）との接続を再開するのに用いるパッシブなコンテキストをＵＥによって記憶することを含む。ＵＥは、インアクティブ状態にある間に、少なくとも１つの無線ベアラを局所的に非活性化する。ＵＥは、ネットワークノードに、少なくとも１つの無線ベアラが局所的に非活性化されたという指示をシグナリングし、その結果、ネットワークノードは、格納されたベアラコンテキストを修正する。【選択図】図４
2019536318.tif 000002
【特許請求の範囲】
【請求項１】
ベアラ状態不整合を回避するための、ユーザ機器（ＵＥ）（３００）による方法（４００）であって、
ネットワークノード（６００）との接続を再開するのに用いるパッシブなコンテキストを前記ＵＥによって記憶することと、
前記ＵＥがインアクティブ状態にある間に、前記ＵＥによって少なくとも１つの無線ベアラ（ＲＢ）を局所的に非活性化することと、
前記インアクティブ状態の間に少なくとも１つのＲＢが局所的に非活性化されたという指示を前記ネットワークノードにシグナリングすることとを含む、方法。
【請求項２】
前記パッシブなコンテキストが、前記ネットワークノードとの前記接続を再開するのに用いる１つまたは複数のリソースを備え、
前記１つまたは複数のリソースが、前記少なくとも１つのＲＢを備える、請求項１に記載の方法。
【請求項３】
前記少なくとも１つのＲＢが局所的に非活性化されたという前記指示が、前記ネットワークノードとの前記接続を再開するための要求とともに含まれる、請求項１または２に記載の方法。
【請求項４】
前記少なくとも１つのＲＢが局所的に非活性化されたという前記指示が、前記インアクティブ状態から接続状態への移行の成功の確認とともに含まれる、請求項１または２に記載の方法。
【請求項５】
前記ＵＥが前記インアクティブ状態へ移行する前に以前に接続されていたネットワーク（１２０）に前記ＵＥがアクセスするとき、前記少なくとも１つのＲＢが局所的に非活性化されたという前記指示がシグナリングされる、請求項１または２に記載の方法。
【請求項６】
前記少なくとも１つのＲＢが局所的に非活性化されたという前記指示が、新規のＲＲＣ接続の要求とともにシグナリングされる、請求項１または２に記載の方法。
【請求項７】
前記接続が、一時停止されたＲＲＣ接続を含む、請求項１から６のいずれか一項に記載の方法。
【請求項８】
前記インアクティブ状態が、
ＲＲＣアイドル状態、
ＲＲＣ一時停止状態、または
ＲＲＣインアクティブ状態
のうち１つを含む、請求項１から７のいずれか一項に記載の方法。
【請求項９】
ベアラ状態不整合を回避するためのユーザ機器（ＵＥ）（３００）であって、
命令を記憶する記憶装置（３３０）と、
処理回路（３１５）であって、前記命令を実行して、前記ＵＥに、
ネットワークノード（６００）との接続を再開するのに用いるパッシブなコンテキストを記憶させ、
前記ＵＥがインアクティブ状態にある間に、前記ＵＥにおいて少なくとも１つの無線ベアラ（ＲＢ）を局所的に非活性化させ、
前記インアクティブ状態の間に前記少なくとも１つのＲＢが局所的に非活性化されたという指示を前記ネットワークノードにシグナリングさせるように設定された、処理回路とを備える、ＵＥ。
【請求項１０】
前記パッシブなコンテキストが、前記ネットワークノードとの前記接続を再開するのに用いる１つまたは複数のリソースを備え、
前記１つまたは複数のリソースが、前記少なくとも１つのＲＢを備える、請求項９に記載のＵＥ。
【請求項１１】
前記少なくとも１つのＲＢが局所的に非活性化されたという前記指示が、前記ネットワークノードとの前記接続を再開するための要求とともに含まれる、請求項９または１０に記載のＵＥ。
【請求項１２】
前記少なくとも１つのＲＢが局所的に非活性化されたという前記指示が、前記インアクティブ状態から接続状態への移行の成功の確認とともに含まれる、請求項９または１０に記載のＵＥ。
【請求項１３】
前記ＵＥが前記インアクティブ状態へ移行する前に以前に接続されていたネットワーク（１２０）に前記ＵＥがアクセスするとき、前記少なくとも１つのＲＢが局所的に非活性化されたという前記指示がシグナリングされる、請求項９または１０に記載のＵＥ。
【請求項１４】
前記少なくとも１つのＲＢが局所的に非活性化されたという前記指示が、新規のＲＲＣ接続の要求とともにシグナリングされる、請求項９または１０に記載のＵＥ。
【請求項１５】
前記接続が、一時停止されたＲＲＣ接続を含む、請求項９から１４のいずれか一項に記載のＵＥ。
【請求項１６】
前記インアクティブ状態が、
ＲＲＣアイドル状態、
ＲＲＣ一時停止状態、または
ＲＲＣインアクティブ状態
のうち１つを含む、請求項９から１４のいずれか一項に記載のＵＥ。
【請求項１７】
ベアラ状態不整合を回避するための、ネットワークノード（６００）による方法（７００）であって、
前記ネットワークノードによって、インアクティブ状態にあるユーザ機器（ＵＥ）（３００）との接続を再開するのに用いるパッシブなコンテキストを記憶することと、
前記ＵＥが前記インアクティブ状態にある間に、前記ＵＥにおいて少なくとも１つの無線ベアラが局所的に非活性化されたという指示を前記ＵＥから受信することと、
ベアラ状態不整合を回避するために、前記ＵＥに関連したベアラ状態を修正することとを含む、方法。
【請求項１８】
前記ベアラ状態を修正することが、
前記指示において識別された前記少なくとも１つの無線ベアラを解放することと、
前記指示において識別された前記少なくとも１つの無線ベアラと、前記ＵＥに関連したすべての他の無線ベアラとを解放することと、
前記指示において識別された前記少なくとも１つの無線ベアラの再確立を一時停止することと、
前記指示において識別された前記少なくとも１つの無線ベアラと、前記ＵＥに関連したすべての他の無線ベアラとの再確立を一時停止することと、
前記指示において識別された前記少なくとも１つの無線ベアラの再確立を遅延させることと、
前記ＵＥに関連したすべての無線ベアラの再確立を遅延させることと、
前記接続を再確立し得ないことを前記ＵＥに通知するために前記ＵＥに障害応答を送ることとを含むグループから選択された、少なくとも１つのアクションを遂行することを含む、請求項１７に記載の方法。
【請求項１９】
前記ベアラ状態が修正されたことを指示し、更新されたベアラ状態情報を要求する、第１のメッセージを、コアノード（２３０）に送信することをさらに含む、請求項１７または１８に記載の方法。
【請求項２０】
前記コアノードから、前記更新されたベアラ状態情報を含む第２のメッセージを受信することと、
前記更新されたベアラ状態情報を用いて前記ＵＥを設定することとをさらに含む、請求項１９に記載の方法。
【請求項２１】
前記パッシブなコンテキストが、前記ネットワークノードとの前記接続を再開するのに用いる１つまたは複数のリソースを備え、
前記１つまたは複数のリソースが前記少なくとも１つの無線ベアラを備える、請求項１７から２０のいずれか一項に記載の方法。
【請求項２２】
前記少なくとも１つの無線ベアラが局所的に非活性化されたという前記指示が、
前記ネットワークノードとの前記接続を再開するための要求と、
前記ＵＥの、前記インアクティブ状態から接続状態への移行の成功の確認と、
新規のＲＲＣ接続の要求とを含むグループから選択された、メッセージとともに含まれる、請求項１７から２１のいずれか一項に記載の方法。
【請求項２３】
前記インアクティブ状態が、
ＲＲＣアイドル状態、
ＲＲＣ一時停止状態、または
ＲＲＣインアクティブ状態
のうち１つを含む、請求項１７から２２のいずれか一項に記載の方法。
【請求項２４】
ベアラ状態不整合を回避するためのネットワークノード（６００）であって、
命令を記憶する記憶装置（６３０）と、
処理回路（６２０）であって、前記命令を実行して、前記ネットワークノードに、
インアクティブ状態にあるユーザ機器（ＵＥ）（３００）との接続を再開するのに用いるパッシブなコンテキストを記憶させ、
前記ＵＥが前記インアクティブ状態にある間に、前記ＵＥにおいて少なくとも１つの無線ベアラが局所的に非活性化されたという指示を前記ＵＥから受信させ、
ベアラ状態不整合を回避するために、前記ＵＥに関連したベアラ状態を修正させるように設定された、処理回路（６２０）とを備える、ネットワークノード。
【請求項２５】
前記ベアラ状態を修正するとき、前記処理回路が、前記命令を実行して、前記ネットワークノードに、
前記指示において識別された前記少なくとも１つの無線ベアラを解放することと、
前記指示において識別された前記少なくとも１つの無線ベアラと、前記ＵＥに関連したすべての他の無線ベアラとを解放することと、
前記指示において識別された前記少なくとも１つの無線ベアラの再確立を一時停止することと、
前記指示において識別された前記少なくとも１つの無線ベアラと、前記ＵＥに関連したすべての他の無線ベアラとの再確立を一時停止することと、
前記指示において識別された前記少なくとも１つの無線ベアラの再確立を遅延させることと、
前記ＵＥに関連したすべての無線ベアラの再確立を遅延させることと、
前記接続を再確立し得ないことを前記ＵＥに通知するために前記ＵＥに障害応答を送ることとを行わせるように設定される、請求項２４に記載のネットワークノード。
【請求項２６】
前記処理回路が、前記命令を実行して、前記ネットワークノードに、
前記ベアラ状態が修正されたことを指示し、更新されたベアラ状態情報を要求する、第１のメッセージを、コアノード（２３０）へ送信させるように設定されている、請求項２４または２５に記載のネットワークノード。
【請求項２７】
前記処理回路が、前記命令を実行して、前記ネットワークノードに、
前記更新されたベアラ状態情報を含む第２のメッセージを前記コアノードから受信することと、
前記更新されたベアラ状態情報を用いて前記ＵＥを設定することとを行わせるように設定されている、請求項２６に記載のネットワークノード。
【請求項２８】
前記パッシブなコンテキストが、前記ネットワークノードとの前記接続を再開するのに用いる１つまたは複数のリソースを備え、
前記１つまたは複数のリソースが前記少なくとも１つの無線ベアラを備える、請求項２４から２７のいずれか一項に記載のネットワークノード。
【請求項２９】
前記少なくとも１つの無線ベアラが局所的に非活性化されたという前記指示が、
前記ネットワークノードとの前記接続を再開するための要求と、
前記ＵＥの、前記インアクティブ状態から接続状態への移行の成功の確認と、
新規のＲＲＣ接続の要求とを含むグループから選択された、メッセージとともに含まれる、請求項２４から２８のいずれか一項に記載のネットワークノード。
【請求項３０】
前記インアクティブ状態が、
ＲＲＣアイドル状態、
ＲＲＣ一時停止状態、または
ＲＲＣインアクティブ状態
のうち１つを含む、請求項２４から２９のいずれか一項に記載のネットワークノード。
【発明の詳細な説明】
【技術分野】
【０００１】
優先権
この出願は、２０１６年１０月２１日に出願した「ＳＹＳＴＥＭＳ  ＡＮＤ  ＭＥＴＨＯＤＳ  ＦＯＲ  ＢＥＡＲＥＲ  ＳＴＡＴＥ  ＭＩＳＭＡＴＣＨ  ＡＶＯＩＤＡＮＣＥ」という名称の米国仮出願第６２／４１１，１６２号の優先権を主張するものであり、その開示が参照によってここで組み込まれる。
【０００２】
本開示は、一般に無線通信に関し、より詳細にはベアラ状態不整合を回避するためのシステムおよび方法に関する。
【背景技術】
【０００３】
ＬＴＥでは、データは、ユーザ機器（ＵＥ）とコアネットワーク（ＣＮ）の間で規定されたエボルブドパケットシステム（ＥＰＳ）ベアラを通じて搬送され得る。これは非アクセス階級（ＮＡＳ）層と称される。ＥＰＳベアラは、ＵＥと無線アクセスネットワーク（ＲＡＮ）ノードの間の無線インターフェースを通じて（データ）無線ベアラ（（Ｄ）ＲＢ）にマッピングされ得る。これはアクセス階級（ＡＳ）層と称され得る。ＬＴＥでは、ＮＡＳ層のＥＰＳベアラとＡＳ層の（Ｄ）ＲＢの間に１対１のマッピングがある。他の無線アクセス技術向けに類似の概念およびその変形形態が存在し、新無線アクセス技術に適合し得る。
【０００４】
３ＧＰＰのＲｅｌ−１３には、無線リソース制御（ＲＲＣ）コンテキストの一時停止および再開のための新規の機能がある。この機能は３ＧＰＰのＴＳ  ３６．３００のｖ１３．５．０および３ＧＰＰのＴＳ  ３６．３３１のｖ１３．３．０に記述されており、それらの全体が参照によってここで組み込まれる。一般観念は、ユーザ機器（ＵＥ）セッションが終了してＵＥがＲＲＣアイドル状態になるとき、ＵＥとＲＡＮの両方がパッシブなＵＥコンテキストを維持し、ＲＲＣ接続のみが一時停止されるというものである。このパッシブなＵＥコンテキストはスリムな再開プロシージャを用いて再活性化され得、これによって、一時停止されたＲＲＣ接続が再開される。再開プロシージャを使用すると無線リソースのセットアップが高速になり、このことは、システムおよびエンドユーザ向けの低レイテンシと、システムにおけるプロシージャの効率的な実行とを意味する。
【０００５】
具体的には、パッシブなＵＥコンテキストの再活性化すなわち再開を要求するＵＥは、パッシブな／キャッシュに格納されたＵＥコンテキストに関連した接続を再開するための要求をシグナリングする。たとえば、ＵＥは、パッシブな／キャッシュに格納されたコンテキストの再利用および再活性化を要求する。しかしながら、ＲＲＣ接続が一時停止したとき、一般的にはＳ１接続が解除される。ＲＲＣ接続が再開されると、Ｓ１接続が再活性化され、かつ／または復元される。
【０００６】
３ＧＰＰでは、「ＬＴＥの光接続を可能にするためのシグナリング低減」におけるＲｅｌ−１４ワークアイテムは、たとえばＲＲＣ接続の一時停止中にＳ１接続を維持することによって接続ハンドリングをさらに拡張することを目的とする。このシナリオではＵＥコンテキストはパッシブである。
【０００７】
３ＧＰＰにおいて、５Ｇ移動体通信システムおよび新無線（ＮＲ）インターフェースの研究も継続している。ＮＲと５ＧのパッシブなＵＥコンテキストを伴う類似の概念向けに、ＵＥと無線アクセスネットワークの間の接続が解除されたとき、またはインアクティブ状態もしくはパッシブ状態になったとき、無線アクセスネットワーク（ＲＡＮ）とコアネットワーク（ＣＮ）の間の接続を維持することの可能性が検討されている。これらの概念は、たとえば３ＧＰＰのＴＳ  ２３．７９９のｖ１．０．２において論じられており、その全体が参照によってここで組み込まれる。
【０００８】
ＵＥがたとえばＲＲＣのアイドル状態または一時停止状態などのインアクティブ状態にあるとき、ＵＥは、ＵＥとコアネットワーク（ＣＮ）の間で規定されたベアラを局所的に非活性化することができる。たとえば、ＵＥは、ＬＴＥのコンテキストにおいてＥＰＳベアラを局所的に非活性化することができる。ＵＥがパッシブな／キャッシュに格納されたＲＲＣのＵＥコンテキストなしのＲＲＣアイドル状態にあって、ＵＥにおいてベアラが局所的に非活性化されているとき、ＵＥはこのことをＣＮに指示することができる。本明細書では、「インアクティブ状態」の例としてＲＲＣのアイドル状態または一時停止状態が使用されているが、本明細書で説明された解決策は、ＬＴＥ、ＮＲ、または任意の他の適切な無線技術において現在規定されているかどうかにかかわらず、任意の適切なインアクティブ状態に適合し得ることが理解されよう。適切なインアクティブ状態には、制限なしで、ＲＲＣ＿ＩＤＬＥ状態およびＲＲＣ＿ＩＮＡＣＴＩＶＥ状態が含まれ得る。ＬＴＥのコンテキストでは、ＵＥは、モバイル管理エンティティ（ＭＭＥ）に非活性化を指示し得るが、他の適切なＣＮノードは、たとえばＵＥとＣＮとＲＡＮの間の同期したベアラ状態を保証するように、ＣＮが、ＲＡＮノードに、アクティブなベアラのみに対してＲＢを確立するように命令することができるように、無線技術に依拠して通知されてよい。ＬＴＥでは、ＵＥは、たとえばＮＡＳ拡張サービス要求（ＥＳＲ）またはＥＰＳベアラコンテキスト状態情報要素を含有しているトラッキングエリア更新要求（ＴＡＵＲ）メッセージによってベアラの状態をＭＭＥと同期させ、このことは、３ＧＰＰのＴＳ  ２４．３０１のｖ１３．７．０においてより詳細に論じられており、その全体が参照によってここで組み込まれる。
【０００９】
しかしながら、ＵＥがパッシブな／キャッシュに格納されたＲＲＣ  ＵＥコンテキストを伴うＲＲＣアイドル状態にあって、ベアラがＵＥにおいて局所的に非活性化されているとき、非活性化されたＥＰＳベアラに関連したＲＢは、ＵＥがネットワークにアクセスするとき起動されるＲＲＣコンテキスト／接続の再活性化／再開の一部分として再確立されることになる。ＣＮがＵＥの局所的なベアラ非活性化を知らされる前にＲＢが再確立されるため、ＵＥとＣＮとＲＡＮノードの間、およびＮＡＳとＡＳの間に、ベアラ状態不整合が生じる。状態不整合によってデータが失われることがある。
【発明の概要】
【００１０】
既存の解決策にまつわる前述の問題に対処するために、ベアラ状態不整合を回避するためのシステムおよび方法が開示される。
【００１１】
特定の実施形態によれば、ネットワークノードとの接続を再開するのに用いるパッシブなコンテキストをＵＥによって記憶することを含む、ベアラ状態不整合を回避するための、ユーザ機器（ＵＥ）による方法が提供される。ＵＥは、インアクティブ状態にある間に、少なくとも１つの無線ベアラ（ＲＢ）を局所的に非活性化する。ＵＥは、インアクティブ状態にある間に少なくとも１つのＲＢを局所的に非活性化したという指示を、ネットワークノードにシグナリングする。
【００１２】
特定の実施形態によれば、ベアラ状態不整合を回避するためのＵＥが提供される。ＵＥは、命令を記憶する記憶装置と、これらの命令を実行して、ネットワークノードとの接続を再開するのに用いるパッシブなコンテキストをＵＥに記憶させるように設定された処理回路とを含む。ＵＥがインアクティブ状態にある間に、ＵＥにおいて少なくとも１つのＲＢが局所的に非活性化される。ＵＥは、インアクティブ状態にある間に少なくとも１つのＲＢを局所的に非活性化したという指示を、ネットワークノードにシグナリングする。
【００１３】
特定の実施形態によれば、ネットワークノードによってベアラ状態不整合を回避するための方法が提供され、この方法は、ネットワークノードによって、インアクティブ状態にあるＵＥとの接続を再開するのに用いるパッシブなコンテキストを記憶することを含む。ネットワークノードは、ＵＥがインアクティブ状態にある間に、少なくとも１つのＲＢが局所的に非活性化されたという指示をＵＥから受信する。ＵＥに関連したベアラ状態は、ベアラ状態不整合を回避するためにネットワークノードによって修正される。
【００１４】
特定の実施形態によれば、ベアラ状態不整合を回避するためのネットワークノードが提供される。ネットワークノードは、命令を記憶する記憶装置と、これらの命令を実行して、インアクティブ状態にあるＵＥとの接続を再開するのに用いるパッシブなコンテキストをネットワークノードに記憶させるように設定された処理回路とを含む。ネットワークノードは、ＵＥがインアクティブ状態にある間に、ＵＥにおいて少なくとも１つのＲＢが局所的に非活性化されたという指示をＵＥから受信する。ＵＥに関連したベアラ状態は、ベアラ状態不整合を回避するためにネットワークノードによって修正される。
【００１５】
本開示の特定の実施形態は、１つまたは複数の技術的な利点を提供し得るものである。たとえば、特定の実施形態は、ＵＥが、ベアラ状態の局所的な変化が生じたことをネットワークノードに指示するための機構を提供し得る。たとえば、具体的な実施形態では、ＵＥからの通知は、現在の、パッシブな／記憶された／キャッシュに格納された、ＵＥアクセス階級（ＡＳ）コンテキストが、ＲＢ（複数可）の設定および／または状態に関して最新ではない、かつ／または有効ではない可能性があることを指示してよい。別の技術的な利点には、ネットワークノードが、ＵＥからのそのような指示に応答して、ＵＥとネットワークの間およびＡＳとネットワークアクセス階級（ＮＡＳ）の間のベアラ設定／ベアラ状態不整合に起因するエラーを回避するように行動し得ることがある。たとえば、具体的な実施形態では、ネットワークノードは、ＲＢ（複数可）の再確立を解除してよく、一時停止してよく、または遅延させてよく、したがってベアラ設定および／またはベアラ状態における不整合を防止する。したがって、ベアラ状態不整合に関連したデータ損失は、すべて最小化されるか回避され得る。
【００１６】
他の利点は、当業者には容易に明らかになり得る。列挙された利点を有しない、いくつか有する、またはすべて有する、特定の実施形態があり得る。
【００１７】
開示された実施形態ならびに特徴および利点のより完全な理解のために、添付図面とともに以下の説明が次に参照される。
【図面の簡単な説明】
【００１８】
【図１】特定の実施形態による、ベアラ状態不整合を回避するための例示的無線通信ネットワークの図解である。
【図２】特定の実施形態による、ベアラ状態不整合を回避するための別の例示的無線通信ネットワークの図解である。
【図３】特定の実施形態による、ベアラ状態不整合を回避するための例示的無線デバイスの図解である。
【図４】特定の実施形態による、ベアラ状態不整合を回避するための、無線デバイスによる例示的方法の図解である。
【図５】特定の実施形態による、ベアラ状態不整合を回避するための例示的な仮想コンピュータデバイスの図解である。
【図６】特定の実施形態による、ベアラ状態不整合を回避するための例示的ネットワークノードの図解である。
【図７】特定の実施形態による、ベアラ状態不整合を回避するための、ネットワークノードによる例示の方法の図解である。
【図８】特定の実施形態による、ベアラ状態不整合を回避するための別の例示の仮想コンピュータデバイスの図解である。
【図９】特定の実施形態による、例示的な無線ネットワークコントローラまたはコアネットワークノードの図解である。
【発明を実施するための形態】
【００１９】
本開示の具体的な実施形態は、無線デバイスおよびネットワークノードによる、ベアラ状態不整合を回避するための解決策を提供し得るものである。特定の実施形態によれば、ユーザ機器（ＵＥ）などの無線デバイスは、無線アクセスネットワーク（ＲＡＮ）ノードなどのネットワークノードに、ベアラ状態の局所的な変化が生じたこと、または生じた可能性があることを指示してよい。そのような指示により、ネットワークノードは、ベアラ設定および／またはベアラ状態における不整合を回避するために、無線ベアラ（複数可）（ＲＢ（複数可））の再確立を解除するか、一時停止するか、または遅延させることができる。以下で、様々な実施形態をより詳細に論じる。
【００２０】
具体的な実施形態によれば、無線デバイスは、ネットワークにアクセスするとき、１つまたは複数のベアラが局所的に非活性化されていることをネットワークノードに指示する。具体的な実施形態では、局所的に非活性化された１つまたは複数のＲＢがこの指示によって識別され得る。それに加えて、またはその代わりに、非活性化されていない、または依然としてアクティブである１つまたは複数のＲＢが、この指示によって識別され得る。
【００２１】
具体的な実施形態によれば、この指示は、インアクティブな／一時停止された無線リソース制御（ＲＲＣ）接続またはパッシブな／キャッシュに格納されたコンテキストを、再開すなわち再活性化する要求の中にあってよい。たとえば、ＬＴＥでは、この指示はＲＲＣＣｏｎｎｅｃｔｉｏｎＲｅｓｕｍｅＲｅｑｕｅｓｔメッセージまたは別の対応するメッセージの中にあってよい。別の実施形態では、この指示は、成功した再開すなわち再活性化の確認の中にあってよい。たとえば、ＬＴＥでは、この指示はＲＲＣＣｏｎｎｅｃｔｉｏｎＲｅｓｕｍｅＣｏｍｐｌｅｔｅメッセージまたは別の対応するメッセージの中にあってよい。
【００２２】
特定の実施形態によれば、ネットワークノードは、１つまたは複数のＲＢが局所的に非活性化されたという指示を受信したとき、ＲＢの再確立を解除するか、一時停止するか、または遅延させてよい。具体的な実施形態によれば、１つまたは複数のＲＢの再確立の解除、一時停止、または遅延は、無線デバイスからの非活性化されたＲＢの指示に基づいて選択的に行われてよい。それに加えて、またはその代わりに、１つまたは複数のＲＢの再確立の解除、一時停止または遅延は、無線デバイスからのそのような詳細な指示がない場合には非選択的に行われてよい。１つまたは複数のＲＢの再確立の解除、一時停止、または遅延は、コアネットワーク（ＣＮ）からの、ベアラ状態が同期されたという指示、および／またはアクティブな／確立されたＲＢの指示、および／または非活性化された／解放されたＲＢの指示、および／または対応するベアラ設定の指示があるまで、遂行されてよい。ネットワークノードは、ＣＮからそのような指示を受信すると、ＲＢを用いて、無線デバイスおよびネットワークノードを対応して設定し得る。
【００２３】
具体的な実施形態によれば、ネットワークノードは、ＲＡＮ−ＣＮインターフェースを通じて、ＣＮに、ベアラ設定および／またはベアラ状態の変化が予期されること、もしくは保留されていること、および／またはＲＡＮが更新されたベアラ情報および／またはベアラ状態を必要としていることを指示することができる。ＬＴＥでは、たとえば、ｅＮＢは、Ｓ１インターフェースを通じて、モバイル管理エンティティ（ＭＭＥ）に、ベアラ設定および／またはベアラ状態の変化が予期されることおよび／または保留されていること、ならびに／あるいはＲＡＮが更新されたベアラ情報および／またはベアラ状態を必要としていることを指示してよい。ＣＮは、そのような指示または要求に応答して、更新されたベアラ設定および／またはベアラ状態の情報をＲＡＮに供給してよい。
【００２４】
具体的な実施形態によれば、ネットワークノードは、１つまたは複数のベアラが局所的に非活性化されたという指示を受信したとき、パッシブな／キャッシュに格納された／記憶されたＵＥコンテキストなしで、無線デバイスの接続を解除してＲＲＣアイドル状態にする。ＵＥは、次いで、新規のＲＲＣ接続を確立するためのプロシージャを開始する。
【００２５】
他の具体的な実施形態では、ネットワークノードは、１つまたは複数のベアラが局所的に非活性化されたという指示を受信したとき、パッシブな／キャッシュに格納された／記憶されたＵＥコンテキストを無視するかまたは棄却して、新規のＲＲＣ接続の確立を開始する。たとえば、ネットワークノードは、接続再開プロシージャから接続セットアッププロシージャへ切り換えてよい。たとえば、ＬＴＥでは、これは、１つまたは複数のベアラが局所的に非活性化されたことを無線デバイスが指示する場合に、ＲＲＣＣｏｎｎｅｃｔｉｏｎＲｅｓｕｍｅメッセージの代わりにＲＲＣＣｏｎｎｅｃｔｉｏｎＳｅｔｕｐメッセージを用いてＲＲＣＣｏｎｎｅｃｔｉｏｎＲｅｓｕｍｅＲｅｑｕｅｓｔに応答することによって達成され得る。
【００２６】
さらに他の具体的な実施形態では、ＡＳ層とＮＡＳ層の間のベアラ不整合は、ベアラが局所的に非活性化されたとき、ＵＥが、インアクティブな／一時停止されたＲＲＣ接続またはパッシブな／キャッシュに格納されたコンテキストの再開すなわち再活性化を要求するのではなく、新規のＲＲＣ接続の確立を要求する、というルールによって防止される。
【００２７】
他の具体的な実施形態では、ベアラが局所的に修正されたとき、または修正が要求されようとしているとき、上記の指示および／またはルールのうち１つまたは複数が適用され得る。
【００２８】
この文献の全体にわたって、ＵＥ、ＲＡＮノード、およびＣＮノードといった一般的な用語が使用され得る。特殊な名称および用語は、アーキテクチャおよびアクセス技術に応じて変化し得ることが理解されよう。たとえば、ＬＴＥでは、ネットワークまたはＲＡＮノードはｅＮＢでよく、ＣＮノードはＭＭＥでよい。以下で、例示のノードおよび装置をより詳細に説明する。しかしながら、本明細書で説明された解決策は、任意の適切なタイプのシステムにおいて任意の適切な構成要素を使用して実施され得るものである。
【００２９】
図１〜図９において具体的な実施形態が説明されており、様々な図面の対応する部分には類似の番号が使用されている。図１は、特定の実施形態による、ベアラ状態不整合を回避するための例示的無線通信ネットワークを図解するものである。表されるように、無線通信ネットワークは、ＵＥを含み得る１つまたは複数の無線デバイス１１０に対して通信および他のタイプのサービスを提供する。図解された実施形態では、無線通信ネットワークは、無線デバイスの、無線通信ネットワークによって提供されるサービスへのアクセスおよび／またはサービスの使用を容易にするネットワークノード１００および１００ａの１つまたは複数の事例を含む。無線通信ネットワークは、各無線デバイス１１０の間の通信、または無線デバイス１１０と地上通信線電話など別の通信デバイスの間の通信をサポートするのに適切な任意の追加要素をさらに含み得る。
【００３０】
ネットワーク１２０は、１つまたは複数のＩＰネットワーク、公衆スイッチ電話ネットワーク（ＰＳＴＮ）、パケットデータネットワーク、光学ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、都市内ネットワーク、およびデバイス間の通信を可能にするための他のネットワークを備え得る。
【００３１】
無線通信ネットワークは、任意のタイプの通信、電気通信、データ、セル、および／または無線ネットワークもしくは他のタイプのシステムを表し得る。具体的な実施形態では、無線通信ネットワークは、特定の規格または他のタイプの所定のルールもしくはプロシージャによって動作するように設定され得る。したがって、無線通信ネットワークの具体的な実施形態は、グローバル移動体通信システム（ＧＳＭ）、ユニバーサルモバイルテレコミュニケーションシステム（ＵＭＴＳ）、Ｌｏｎｇ  Ｔｅｒｍ  Ｅｖｏｌｕｔｉｏｎ（ＬＴＥ）、および／または他の適切な２Ｇ規格、３Ｇ規格、４Ｇ規格、もしくは５Ｇ規格、ＩＥＥＥ  ８０２．１１規格などの無線ローカルエリアネットワーク（ＷＬＡＮ）規格、および／またはワイマックス（ＷｉＭａｘ）、Ｂｌｕｅｔｏｏｔｈ、および／またはＺｉｇＢｅｅ規格など任意の他の適切な無線通信規格などの通信規格を実施し得る。
【００３２】
簡単にするために、図１は、ネットワーク１２０、ネットワークノード１００および１００ａ、ならびに無線デバイス１１０のみを表す。異なる実施形態では、無線ネットワークは、任意数の有線または無線のネットワーク、ネットワークノード、基地局、コントローラ、無線デバイス、中継局、ならびに／あるいは、有線もしくは無線の接続を介したデータおよび／または信号の通信を容易にする、または同通信に関与する、任意の他の構成要素を備え得る。
【００３３】
図１は、具体的な実施形態によるネットワークノード１００および無線デバイス１１０の詳細な図を示す。ネットワークノード１００は、インターフェース１０１、プロセッサ１０２、記憶機構１０３、およびアンテナ１０１ａを含む。同様に、無線デバイス１１０は、インターフェース１１１、プロセッサ１１２、記憶機構１１３、およびアンテナ１１１ａを含む。これらの構成要素は、無線通信ネットワークにおいて無線接続をもたらすことなど、ネットワークノードおよび／または無線デバイスの機能をもたらすために連携してよい。
【００３４】
本明細書で使用されるように、ＲＡＮノードと称されることもある「ネットワークノード」という用語が指す機器は、無線デバイス１１０に対する無線アクセスを可能にし、かつ／または無線アクセスを提供する無線通信ネットワークにおいて、無線デバイス１１０および／または他の機器と直接的または間接的に通信することができ、通信するように設定されており、通信するように構成されており、かつ／または通信するように動作可能である。ネットワークノード１００および１００ａの例は、それだけではないが、アクセスポイント（ＡＰ）、詳細には無線アクセスポイントを含む。ネットワークノード１００および１００ａは無線基地局などの基地局（ＢＳ）を表し得る。無線基地局の特別な例はノードＢおよび発展型ノードＢ（ｅＮＢ）を含む。基地局は、提供するカバレッジの量（言い方を変えれば送信電力レベル）に基づいて分類され得て、フェムト基地局、ピコ基地局、マイクロ基地局、またはマクロ基地局とも称され得る。ネットワークノードは、集中型デジタルユニットおよび／またはリモート無線ヘッド（ＲＲＨ）と称されることもあるリモート無線ユニット（ＲＲＵ）など、分散型無線基地局の１つまたは複数の（あるいはすべての）部分も含み得る。そのようなリモート無線ユニットは、アンテナ一体型無線としてアンテナに組み込まれてよく、組み込まれなくてもよい。分散型無線基地局の部品も、分散型アンテナシステム（ＤＡＳ）におけるノードと称されることがある。
【００３５】
特別な非限定的例として、基地局は、中継ノードまたは中継を制御する中継ドナーノードでよい。
【００３６】
ネットワークノード１００および１００ａの他の例には、ＭＳＲ  ＢＳなどのマルチスタンダード無線（ＭＳＲ）の無線設備、無線ネットワークコントローラ（ＲＮＣ）または基地局コントローラ（ＢＳＣ）などのネットワークコントローラ、ＭＢＭＳノード、ベーストランシーバ局（ＢＴＳ）、送信ポイント、送信ノード、マルチセル／マルチキャスト協調エンティティ（ＭＣＥ）、コアネットワークノード（たとえばＭＳＣ、ＭＭＥ）、Ｏ＆Ｍノード、ＯＳＳノード、ＳＯＮノード、測位ノード（たとえばｅ−ＳＭＬＣ）、および／またはＭＤＴが含まれる。しかしながら、より一般的には、ネットワークノード１００および１００ａは、無線デバイスに対して無線通信ネットワークへのアクセスを可能にし、かつ／または提供する、あるいは無線通信ネットワークにアクセスした無線デバイス１１０に対していくつかのサービスを提供することができ、提供するように設定され、提供するように構成され、かつ／または提供するように動作可能な、任意の適切なデバイス（またはデバイスのグループ）を表し得る。
【００３７】
本明細書で使用されるような「無線ノード」という用語は、それぞれ上記で説明されたような無線デバイス１１０とネットワークノード１００および１００ａの両方を参照するように、総称的に使用される。
【００３８】
図１に表現されているように、ネットワークノード１００は、プロセッサ１０２、記憶機構１０３、インターフェース１０１、およびアンテナ１０１ａを含む。これらの構成要素は、単一のより大きなボックスの内部にある単一のボックスとして表現されている。しかしながら、実際には、ネットワークノード１００は、図解された単一の構成要素を構成する複数の異なる物理的構成要素を備え得る（たとえば、インターフェース２０１は、有線接続のために電線を結合するための端子と、無線接続のための無線トランシーバとを備え得る）。別の例として、ネットワークノード１００は、物理的に分離した複数の異なる構成要素が相互作用してネットワークノード１００の機能をもたらす仮想ネットワークノードでよい。たとえば、プロセッサ１０２は、３つの個別の筐体内にある３つの個別のプロセッサを備えてよく、各プロセッサが、ネットワークノード１００の特別なインスタンス向けの異なる機能に関与する。同様に、ネットワークノード１００は、複数の物理的に分離した構成要素から成り得る。具体的な実施形態では、たとえば、ネットワークノード１００は、ＮｏｄｅＢ構成要素およびＲＮＣ構成要素、ＢＴＳ構成要素およびＢＳＣ構成要素、または他の適切な構成要素から成り得、これらは、それぞれが、それ自体のプロセッサ、記憶機構、およびインターフェース構成要素を有し得る。ネットワークノード１００が複数の分離した構成要素を含む具体的な実施形態では、分離した構成要素のうち１つまたは複数がいくつかのネットワークノードの間で共有され得る。たとえば、単一のＲＮＣが複数のＮｏｄｅＢを制御してよい。そのようなシナリオでは、固有のＮｏｄｅＢとＢＳＣの対のそれぞれが、個別のネットワークノードでよい。いくつかの実施形態では、ネットワークノード１００は、複数の無線アクセス技術（ＲＡＴ）をサポートするように設定され得る。そのような実施形態では、いくつかの構成要素が２重にされてよい。たとえば、異なるＲＡＴの各々向けに個別の記憶機構１０３が含まれ得る。いくつかの実施形態では、いくつかの構成要素が再使用されてよい。たとえば、具体的な実施形態では、異なるＲＡＴによって同一のアンテナ１０１ａが共有されてよい。
【００３９】
プロセッサ１０２は、マイクロプロセッサ、コントローラ、マイクロコントローラ、中央処理装置、デジタル信号プロセッサ、処理回路、特定用途向け集積回路、フィールドプログラマブルゲートアレイ、もしくは任意の他の適切なコンピュータデバイス、リソースのうち１つまたは複数の組合せ、あるいは、単独で、または記憶機構１０３などネットワークノード１００の他の構成要素とともに、ネットワークノード１００の機能をもたらすように動作可能なハードウェア、ソフトウェアおよび／または符号化されたロジックの組合せでよい。たとえば、プロセッサ１０２は、記憶機構１０３に記憶された命令を実行してよい。そのような機能には、無線デバイス１１０などの無線デバイスに、本明細書で開示された機能または利点のうち任意のものを含めて、本明細書で論じられた様々な無線機能を与えることが含まれ得る。
【００４０】
記憶機構１０３は、限定することなく、持続性の記憶機構、半導体メモリ、遠隔に据え付けられた記憶装置、磁気媒体、光媒体、ランダムアクセスメモリ（ＲＡＭ）、読取り専用メモリ（ＲＯＭ）、リムーバブル媒体、または任意の他の適切なローカルもしくはリモートの記憶要素のうち任意のものを含む、任意の形態の揮発性または不揮発性のコンピュータ可読記憶装置を備え得る。記憶機構１０３は、ネットワークノード１００によって利用される、ソフトウェアおよび符号化されたロジックを含む任意の適切な命令、データまたは情報を記憶し得る。記憶機構１０３は、プロセッサ１０２による任意の計算および／またはインターフェース１０１を介して受信した任意のデータを記憶するように使用され得る。
【００４１】
ネットワークノード１００はインターフェース１０１も備えてよく、インターフェース１０１は、ネットワークノード１００、ネットワーク１２０、および／または無線デバイス１１０との間のシグナリングおよび／またはデータの有線もしくは無線の通信において使用され得る。たとえば、インターフェース１０１は、ネットワークノード１００が有線接続を通じてネットワーク１２０との間でデータを送受信するのを可能にするために必要とされ得る、任意のフォーマット化、符号化、または書き換えを遂行してよい。インターフェース１０１は、無線送信器および／または無線受信器も含み得、これらはアンテナ１０１ａの一部分に結合されてよく、アンテナ１０１ａの一部分でもよい。無線器は、他のネットワークノード１００または無線デバイス１１０に送付されるデジタルデータを、無線接続１３０、１４０を介して受信してよい。無線器は、デジタルデータを、適切なチャネルおよび帯域幅パラメータを有する無線信号に変換してよい。次いで、無線信号が、アンテナ１０１ａを介して、無線デバイス１１０などの適切な受側に送信されてよい。
【００４２】
アンテナ１０１ａは、データおよび／または信号を無線で送受信することができる任意のタイプのアンテナでよい。いくつかの実施形態では、アンテナ１０１ａは、たとえば２ＧＨｚ〜６６ＧＨｚの無線信号を送受信するように動作可能な１つまたは複数の全方向アンテナ、セクタアンテナ、またはパネルアンテナを備え得る。全方向アンテナは任意の方向の無線信号を送受信するように使用されてよく、セクタアンテナは特別な領域内のデバイスから無線信号を送受信するように使用されてよく、パネルアンテナは、比較的直線の無線信号を送受信するために使用される視線アンテナでよい。
【００４３】
本明細書で使用されるように、「無線デバイス」は、ネットワークノードおよび／または別の無線デバイスと無線で通信することができ、無線で通信するように設定され、構成され、かつ／または動作可能なデバイスを指す。無線で通信することは、電磁気信号、電波、赤外線信号、および／または空中の情報伝達に適切な他のタイプの信号を使用して、無線信号を送受信することを包含し得る。具体的な実施形態では、無線デバイス１１０は、直接的な人間との相互作用なしで情報を送受信するように設定され得る。たとえば、無線デバイス１１０は、内部または外部のイベントによって起動されたとき、またはネットワークからの要求に応答して、所定のスケジュールに基づいてネットワークへ情報を送信するように設計され得る。一般に、無線デバイス１１０は、無線通信が可能なデバイス、無線通信用に設定されたデバイス、無線通信用に構成されたデバイス、および／または無線通信するように動作可能な任意のデバイスを表し得、たとえば無線通信デバイスである。無線デバイス１１０の例は、それだけではないが、スマートフォンなどのユーザ機器（ＵＥ）を含む。さらなる例は、無線カメラ、無線対応のタブレットコンピュータ、ラップトップコンピュータに組み込まれた機器（ＬＥＥ）、ラップトップコンピュータに搭載された機器（ＬＭＥ）、ＵＳＢドングル、および／または無線顧客の宅内機器（ＣＰＥ）を含む。
【００４４】
１つの具体的な例として、無線デバイス１１０は、３ＧＰＰのＧＳＭ、ＵＭＴＳ、ＬＴＥ、など第３世代パートナーシッププロジェクト（３ＧＰＰ）によって公布された１つまたは複数の通信規格および／または５Ｇ規格による通信用に設定されたＵＥを表し得る。本明細書で使用されるように、「ユーザ機器」または「ＵＥ」には、必ずしも、関連するデバイスを所有し、かつ／または操作する人間のユーザの意味での「ユーザ」が存在するわけではない。代わりに、ＵＥは、人間のユーザに販売するように意図された、または人間のユーザによって操作されるように意図されたデバイスを表し得るが、当初は具体的な人間のユーザに関連づけられていなくてよい。
【００４５】
具体的な実施形態では、無線デバイス１１０は、たとえばサイドリンク通信の３ＧＰＰ規格を実施することによってデバイス対デバイス（Ｄ２Ｄ）通信をサポートしてよく、この場合Ｄ２Ｄ通信デバイスと称され得る。
【００４６】
もう１つの具体的な実施形態として、モノのインターネット（ＩｏＴ）のシナリオでは、無線デバイス１１０は、監視および／または測定を遂行してそのような監視および／または測定の結果を別の無線デバイス１１０および／またはネットワークノード１００に送信する、マシンまたは他のデバイスを表し得る。無線デバイス１１０は、この場合マシンツーマシン（Ｍ２Ｍ）デバイスであり、３ＧＰＰの状況ではマシンタイプ通信（ＭＴＣ）デバイスと称され得る。１つの特別な例として、無線デバイス１１０は、３ＧＰＰの狭帯域のモノのインターネット（ＮＢ−ＩｏＴ）規格を実施するＵＥでよい。そのようなマシンまたはデバイスの特別な例には、センサ、電力計などの計測装置、工業用機械、または、たとえば冷蔵庫、テレビ、時計など個人的なウェアラブル機器、および他のデバイスなど、家庭電化製品もしくは個人用電気器具がある。他のシナリオでは、無線デバイス１１０は、その運転状態もしくはその動作に関連した他の機能について、監視することおよび／または報告することが可能な車両または他の機器を表し得る。
【００４７】
上記で説明されたような無線デバイス１１０は無線接続のエンドポイントを表してよく、その場合には無線端末と称され得る。その上、上記で説明されたような無線デバイス１１０は可動性であり得、その場合にはモバイルデバイスまたはモバイル端末と称され得る。
【００４８】
図１に表されるように、無線デバイス１１０は、無線エンドポイント、移動ステーション、移動式電話、無線ローカルループ電話、スマートフォン、ユーザ機器、デスクトップコンピュータ、ＰＤＡ、セル式電話、タブレット、ラップトップコンピュータ、ＶｏＩＰ電話またはハンドセットを、ネットワークノード１００などのネットワークノードおよび／または他の無線デバイス１１０との間で、データおよび／または信号を無線で送受信することができる任意のタイプでよい。無線デバイス１１０は、プロセッサ１１２、記憶機構１１３、インターフェース１１１、およびアンテナ１１１ａを含む。ネットワークノード１００と同様に、無線デバイス１１０の構成要素は、単一のより大きなボックスの内部の単一のボックスとして表現されているが、実際には、無線デバイスは、図解された単一の構成要素を構成する複数の異なる物理的構成要素を備え得る（たとえば、記憶機構１１３は複数の離散マイクロチップを含み得て、各マイクロチップが総記憶容量の一部分を表し得る）。
【００４９】
プロセッサ１１２は、マイクロプロセッサ、コントローラ、マイクロコントローラ、中央処理装置、デジタル信号プロセッサ、特定用途向け集積回路、フィールドプログラマブルゲートアレイ、もしくは任意の他の適切なコンピュータデバイス、リソースのうち１つまたは複数の組合せ、あるいは、単独で、または記憶機構１１３など無線デバイス１１０の他の構成要素と組み合わせて、無線デバイス１１０の機能をもたらすように動作可能なハードウェア、ソフトウェアおよび／または符号化されたロジックの組合せでよい。そのような機能には、本明細書で論じられた機能または利点のうち任意のものを含めて、本明細書で開示された様々な無線機能をもたらすことが含まれ得る。
【００５０】
記憶機構１１３は、限定することなく、持続性の記憶機構、半導体メモリ、遠隔に据え付けられた記憶装置、磁気媒体、光媒体、ランダムアクセスメモリ（ＲＡＭ）、読取り専用メモリ（ＲＯＭ）、リムーバブル媒体、または任意の他の適切なローカルもしくはリモートの記憶要素のうち任意のものを含む、任意の形態の揮発性または不揮発性の記憶装置でよい。記憶機構１１３は、無線デバイス１１０によって利用される、ソフトウェアおよび符号化されたロジックを含む任意の適切なデータ、命令、または情報を記憶し得る。記憶機構１１３は、プロセッサ１１２による任意の計算および／またはインターフェース１１１を介して受信した任意のデータを記憶するように使用され得る。
【００５１】
インターフェース１１１は、無線デバイス１１０とネットワークノード１００の間のシグナリングおよび／またはデータの無線通信に使用され得る。たとえば、インターフェース１１１は、無線デバイス１１０が無線接続を通じてネットワークノード１００との間でデータを送受信するのを可能にするために必要とされ得る、任意のフォーマット化、符号化、または書き換えを遂行してよい。インターフェース１１１は、無線送信器および／または無線受信器も含み得、これらはアンテナ１１１ａの一部分に結合されてよく、アンテナ１１１ａの一部分でもよい。無線器は、ネットワークノード１０１に送付されるデジタルデータを、無線接続を介して受信してよい。無線器は、デジタルデータを、適切なチャネルおよび帯域幅パラメータを有する無線信号に変換してよい。次いで、無線信号は、アンテナ１１１ａを介してネットワークノード１００へ送信されてよい。
【００５２】
アンテナ１１１ａは、データおよび／または信号を無線で送受信することができる任意のタイプのアンテナでよい。いくつかの実施形態では、アンテナ１１１ａは、２ＧＨｚ〜６６ＧＨｚの無線信号を送受信するように動作可能な１つまたは複数の全方向アンテナ、セクタアンテナ、またはパネルアンテナを備え得る。簡単にするために、アンテナ１１１ａは、無線信号が使用されている限り、インターフェース１１１の一部分と見なされ得る。
【００５３】
図２は、特定の実施形態による、ベアラ状態不整合を回避するための無線通信ネットワーク２００の別の実施形態を図解するブロック図である。ネットワーク２００は、無線デバイス２１０またはＵＥ２１０と交換可能に称され得る１つまたは複数の無線デバイス２１０Ａ〜２１０Ｃと、ネットワークノード２１２またはｅＮｏｄｅＢ２１２と交換可能に称され得るネットワークノード２１２Ａ〜２１２Ｃと、無線ネットワークコントローラ２２０と、コアネットワークノード２３０とを含む。無線デバイス２１０は、無線インターフェースを通じてネットワークノード２１２と通信してよい。たとえば、無線デバイス２１０Ａは、ネットワークノード２１２のうち１つまたは複数に無線信号を送信してよく、かつ／またはネットワークノード２１２のうち１つまたは複数から無線信号を受信してよい。無線信号は、音声トラフィック、データトラフィック、制御信号、および／または任意の他の適切な情報を含有し得る。いくつかの実施形態では、ネットワークノード２１２に関連した無線信号のカバレッジ領域はセルと称され得る。いくつかの実施形態では、無線デバイス２１０はＤ２Ｄ能力を有し得る。したがって、無線デバイス２１０は、別の無線デバイス２１０との間で信号を直接送受信することができる。たとえば、無線デバイス２１０Ａは、無線デバイス２１０Ｂとの間で信号を送受信することができる。
【００５４】
特定の実施形態では、ネットワークノード２１２は、無線ネットワークコントローラ２２０とインターフェースをとってよい。無線ネットワークコントローラ２２０はネットワークノード２１２を制御してよく、特定の無線リソース管理機能、移動性管理機能、および／または他の適切な機能を提供し得る。特定の実施形態では、無線ネットワークコントローラ２２０は、相互結合形ネットワークを介してコアネットワークノード２３０とインターフェースをとってよい。相互結合形ネットワークは、音声、映像、信号、データ、メッセージ、または前出のものの任意の組合せを送信することができる任意の相互接続システムを指し得る。相互結合形ネットワークは、公衆交換電話網（ＰＳＴＮ）、公衆データネットワークもしくは私的データネットワーク、ローカルエリアネットワーク（ＬＡＮ）、都市内ネットワーク（ＭＡＮ）、広域ネットワーク（ＷＡＮ）、構内通信、地域内通信、もしくはグローバル通信、またはインターネット、有線もしくは無線のネットワーク、企業イントラネットなどのコンピュータネットワーク、またはそれらの組合せを含む任意の他の適切な通信リンクのすべてもしくは一部分を含み得る。
【００５５】
コアネットワークノード２３０は、通信セッションの確立を管理し、無線デバイス２１０に対して様々な他の機能を提供し得る。無線デバイス２１０は、非アクセス階級（ＮＡＳ）層を使用して、コアネットワークノード２３０と特定の信号を交換する。ＮＡＳシグナリングでは、無線通信デバイス２１０とコアネットワークノード２３０の間の信号は、ネットワークノード２１２を透過的に通過する。
【００５６】
上記で説明されたように、ネットワーク２００の例示の実施形態は、１つまたは複数の無線デバイス２１０と、無線デバイス２１０と（直接的または間接的に）通信することができる１つまたは複数の異なるタイプのネットワークノード２１２とを含み得る。無線デバイス２１０は、セルラー方式通信システムすなわち移動体通信システムにおいて、ノードおよび／または別の無線デバイスと通信する任意のタイプの無線デバイスを指し得る。無線デバイス２１０の例には、図１の無線デバイス１１０に関して上記で説明されたもののうち任意のものが含まれる。同様に、ネットワークノード２１２の例には、図１のネットワークノード１００に関して上記で説明されたもののうち任意のものが含まれ得る。無線通信デバイス２１０、ネットワークノード２１２、無線ネットワークコントローラ２２０、およびコアネットワークノード２３０の各々が、ハードウェアおよび／またはソフトウェアの任意の適切な組合せを含む。無線デバイス２１０、ネットワークノード２１２、および他のネットワークノード（無線ネットワークコントローラまたはコアネットワークノードなど）のさらなる例示の実施形態が、それぞれ図３、図６、および図９を参照しながらより詳細に説明される。
【００５７】
図２はネットワーク２００の特別な機構を図解しているが、本開示は、本明細書で説明された様々な実施形態が任意の適切な設定を有する様々なネットワークに適用され得ることを企図するものである。たとえば、ネットワーク２００は、任意の適切な数の無線デバイス２１０およびネットワークノード２１２、ならびに、各無線デバイスの間、または無線デバイスと別の通信デバイス（地上通信線電話など）の間の通信をサポートするのに適切な任意の追加要素を含み得る。特定の実施形態では、無線通信デバイス２１０、ネットワークノード２１２、無線ネットワークコントローラ２２０、およびコアネットワークノード２３０は、Ｌｏｎｇ  Ｔｅｒｍ  Ｅｖｏｌｕｔｉｏｎ（ＬＴＥ）、ＬＴＥ−Ａｄｖａｎｃｅｄ、ＵＭＴＳ、ＨＳＰＡ、ＧＳＭ、ｃｄｍａ２０００、ＷｉＭａｘ、Ｗｉ−Ｆｉ、別の適切な無線アクセス技術、あるいは１つまたは複数の無線アクセス技術の任意の適切な組合せなどの任意の適切な無線アクセス技術を使用する。例示のために、様々な実施形態が、特定の無線アクセス技術のコンテキストの範囲内で説明されることがある。しかしながら、本開示の範囲はそのような例に限定されず、他の実施形態なら別の無線アクセス技術を使用することができる。
【００５８】
図３は、特定の実施形態による、ベアラ状態不整合を回避するための例示の無線デバイスを図解するものである。表されるように、ユーザ機器３００は、無線デバイス１１０、２１０など例示の無線デバイスである。ＵＥ３００は、アンテナ３０５と、無線フロントエンド回路３１０と、処理回路３１５と、コンピュータ可読記憶媒体３３０とを含む。アンテナ３０５は１つまたは複数のアンテナまたはアンテナアレイを含み得、無線信号を送受信するように設定され、無線フロントエンド回路３１０に接続されている。特定の代替実施形態では、無線デバイス３００はアンテナ３０５を含まなくてよく、アンテナ３０５は、代わりに、無線デバイス３００から分離して、インターフェースまたはポートによって無線デバイス３００に接続可能でよい。
【００５９】
無線フロントエンド回路３１０は様々なフィルタおよび増幅器を含み得、アンテナ３０５および処理回路３１５に接続されており、アンテナ３０５と処理回路３１５の間で通信される信号を調整するように設定されている。特定の他の実施形態では、無線デバイス３００は無線フロントエンド回路３１０を含まなくてよく、処理回路３１５は、代わりに、無線フロントエンド回路３１０なしでアンテナ３０５に接続されてよい。
【００６０】
処理回路３１５は、無線周波数（ＲＦ）トランシーバ回路と、ベースバンド処理回路と、アンテナ３０５を介してネットワークノード１００、２１２と無線信号を送受信することを容易にするアプリケーション処理回路とのうち１つまたは複数を含み得る。いくつかの実施形態では、ＲＦトランシーバ回路、ベースバンド処理回路、およびアプリケーション処理回路は、個別のチップセット上にあってよい。代替実施形態では、ベースバンド処理回路およびアプリケーション処理回路の一部分またはすべてが１つのチップセットへと組み合わされてよく、ＲＦトランシーバ回路は個別のチップセット上にあってよい。さらなる代替実施形態では、ＲＦトランシーバ回路およびベースバンド処理回路の一部分またはすべてが同一のチップセット上にあってよく、アプリケーション処理回路は個別のチップセット上にあってよい。さらなる他の代替実施形態では、ＲＦトランシーバ回路、ベースバンド処理回路、およびアプリケーション処理回路の一部分またはすべてが、同一のチップセットにおいて組み合わされてよい。処理回路３１５は、たとえば、１つまたは複数の中央処理装置（ＣＰＵ）、１つまたは複数のマイクロプロセッサ、１つまたは複数の特定用途向け集積回路（ＡＳＩＣ）、ならびに／あるいは１つまたは複数のフィールドプログラマブルゲートアレイ（ＦＰＧＡ）を含み得る。特定の実施形態によれば、処理回路３１５は、ユーザ機器３０５によって与えられるものとして上記で説明された機能のいくつかまたはすべてをもたらす命令を実行してよく、記憶装置５３０は、プロセッサ５２０によって実行される命令を記憶する。無線デバイス１１０の例は上記に与えられている。
【００６１】
具体的な実施形態では、本明細書において無線デバイスがもたらすものと説明された機能のいくつかまたはすべてが、コンピュータ可読記憶媒体３３０に記憶された命令を実行する処理回路３１５によってもたらされ得る。他の実施形態では、機能のうちいくつかまたはすべてが、処理回路３１５によって、配線接続のやり方などで、コンピュータ可読媒体上に記憶された命令を実行せずにもたらされ得る。それらの具体的な実施形態のあらゆるものにおいて、コンピュータ可読記憶媒体に記憶された命令の実行の有無にかかわらず、処理回路は説明された機能を遂行するように設定されていると言える。そのような機能によってもたらされる利点は、単体の処理回路３１５またはＵＥ３００の他の構成要素に限定されず、一般に、全体としての無線デバイスならびに／あるいはエンドユーザおよび無線ネットワークによって享受される。
【００６２】
アンテナ３０５、無線フロントエンド回路３１０、および／または処理回路３１５は、本明細書において無線デバイスが遂行するものと説明されたあらゆる受信動作を遂行するように設定され得る。任意の情報、データおよび／または信号は、ネットワークノードおよび／または別の無線デバイスから受信され得る。
【００６３】
処理回路３１５は、本明細書において無線デバイスが遂行するものと説明されたあらゆる判定動作を遂行するように設定され得る。処理回路３１５によって遂行されたものと判定することは、処理回路３１５によって得られた情報を、たとえば他の情報に変換して、得られた情報または変換後の情報を無線デバイスに記憶された情報と比較すること、ならびに／あるいは得られた情報または変換後の情報に基づいて１つまたは複数の動作を遂行し、前記処理の結果として判定すること含み得る。
【００６４】
アンテナ３０５、無線フロントエンド回路３１０、および／または処理回路３１５は、本明細書において無線デバイスが遂行するものと説明されたあらゆる送信動作を遂行するように設定され得る。任意の情報、データおよび／または信号は、ネットワークノードおよび／または別の無線デバイスに送信され得る。
【００６５】
コンピュータ可読記憶媒体３３０は、一般に、コンピュータプログラム、ソフトウェアなどの命令、ロジック、ルール、コード、テーブル、アルゴリズムのうち１つまたは複数を含むアプリケーション、および／またはプロセッサによって実行され得る他の命令を記憶するように動作可能である。コンピュータ可読記憶媒体３３０の例には、コンピュータメモリ（たとえばランダムアクセスメモリ（ＲＡＭ）または読取り専用メモリ（ＲＯＭ））、大容量記憶媒体（たとえばハードディスク）、リムーバブル記憶媒体（たとえばコンパクトディスク（ＣＤ）またはデジタルビデオディスク（ＤＶＤ））、ならびに／あるいは処理回路３１５によって使用され得る情報、データ、および／または命令を記憶する、任意の他の揮発性または不揮発性の記憶デバイス、コンピュータ可読の非一時的記憶デバイス、および／またはコンピュータ実行可能な記憶デバイスが含まれる。いくつかの実施形態では、処理回路３１５とコンピュータ可読記憶媒体３３０が一体化されるように考えられてよい。
【００６６】
ＵＥ３００の代替実施形態に含まれ得る、図３に示されたもの以上のさらなる構成要素は、本明細書で説明された機能のうち任意のものおよび／または前述の解決策をサポートするのに必要な任意の機能を含む、ＵＥの機能の特定の態様をもたらすことに関与し得るものである。単なる一例として、ＵＥ３００は、入力のインターフェース、デバイスおよび回路、ならびに出力のインターフェース、デバイスおよび回路を含み得る。入力のインターフェース、デバイスおよび回路は、ＵＥ３００への情報の入力を可能にするように設定されており、処理回路３１５に接続されて、処理回路３１５が入力情報を処理することを可能にする。たとえば、入力のインターフェース、デバイスおよび回路は、マイクロフォン、近接センサまたは他のセンサ、キー／ボタン、タッチディスプレイ、１つまたは複数のカメラ、ＵＳＢポート、または他の入力要素を含み得る。出力のインターフェース、デバイスおよび回路は、ＵＥ３００からの情報の出力を可能にするように設定されており、処理回路３１５に接続されて、処理回路３１５がＵＥ３００からの情報を出力することを可能にする。たとえば、出力のインターフェース、デバイスまたは回路は、スピーカ、表示器、振動回路、ＵＳＢポート、ヘッドフォンインターフェース、または他の出力要素を含み得る。ＵＥ３００は、１つまたは複数の入力のインターフェース、デバイスまたは回路と、出力のインターフェース、デバイスまたは回路とを使用してエンドユーザおよび／または無線ネットワークと通信し、これらが本明細書で説明された機能から利益を得ることを可能にし得る。
【００６７】
別の例として、ＵＥ３００は電源３３５を含み得る。電源３３５は電力管理回路を備え得る。電源３３５は給電系統から電力を受け取ってよく、給電系統は、電源３３５に備わっていてよく、または電源３３５の外部にあってもよい。たとえば、ＵＥ３００は、電源３３５に接続されているかまたは電源３３５に組み込まれているバッテリーまたはバッテリーパックの形態の給電系統を備え得る。光起電力デバイスなど他のタイプの電源も使用され得る。さらなる例として、ＵＥ３００は、入力回路または電気ケーブルなどのインターフェースを介して外部の給電系統（電力コンセントなど）に接続可能でよく、それによって外部の給電系統が電源３３５に電力を供給する。電源３３５は、無線フロントエンド回路３１０、処理回路３１５、および／またはコンピュータ可読記憶媒体３３０に接続されてよく、処理回路３１５を含むＵＥ３００に、本明細書で説明された機能を遂行するための電力を供給するように設定され得る。
【００６８】
ＵＥ３００は、処理回路３１５の複数の組、コンピュータ可読記憶媒体３３０、無線回路３１０、および／または、無線デバイス３００に組み込まれた、たとえばＧＳＭ、ＷＣＤＭＡ、ＬＴＥ、ＮＲ、Ｗｉ−Ｆｉ、またはＢｌｕｅｔｏｏｔｈの無線技術などの異なる無線技術向けのアンテナ３０５も含み得る。これらの無線技術は、同一のチップセットまたは異なるチップセット、および無線デバイス３００の内部の他の構成要素に組み込まれ得る。
【００６９】
図４は、特定の実施形態による、ベアラ状態不整合を回避するための、ユーザ機器３００による例示的方法４００を図解するものである。この方法は、ＵＥ３００がネットワークノード１００、２１２との接続を再開するのに用いるパッシブなコンテキストを記憶するステップ４０２において始まる。具体的な実施形態では、接続は、一時停止されたＲＲＣ接続を含み得る。具体的な実施形態では、パッシブなコンテキストは、ネットワークノード（１００、２１２）との接続を再開するのに用いる１つまたは複数のリソースを含み得、１つまたは複数のリソースは少なくとも１つのＲＢを含み得る。
【００７０】
ステップ４０４において、ＵＥ３００は、インアクティブ状態にある間に少なくとも１つのＲＢを局所的に非活性化し、少なくとも１つのＲＢがもはやＵＥ３００によって使用され得ないことはネットワークノード１００、２１２に通知しない。
【００７１】
ステップ４０６において、ＵＥ３００は、ネットワークノード１００、２１２との接続を再開するのに先立って、少なくとも１つのＲＢが局所的に非活性化されたという指示をネットワークノード１００、２１２にシグナリングする。特定の具体的な実施形態によれば、少なくとも１つのＲＢが局所的に非活性化されたという指示は、ネットワークノード（１００、２１２）との接続を再開する要求とともに含まれる。たとえば、この指示は、新規のＲＲＣ接続のための要求とともにシグナリングされてよい。別の実施形態では、この指示は、インアクティブ状態から接続状態への接続の移行の成功の確認とともに含まれ得る。もう１つの実施形態では、この指示は、ＵＥ（１１０、２１０）が登録されている、以前に接続された、またはアクティブになったネットワークに、ＵＥ（１１０、２１０）がアクセスするときシグナリングされてよい。
【００７２】
特定の実施形態では、上記で説明されたような、ベアラ状態不整合を回避するための方法は、仮想コンピュータデバイスによって遂行され得る。図５は、特定の実施形態による、ベアラ状態不整合を回避するための例示の仮想コンピュータデバイス５００を図解するものである。特定の実施形態では、仮想コンピュータデバイス５００は、図４に図解されて説明された方法に関して上記で説明されたものに類似のステップを遂行するためのモジュールを含み得る。たとえば、仮想コンピュータデバイス５００は、記憶モジュール５０２、非活性化モジュール５０４、シグナリングモジュール５０６、およびベアラ状態不整合を回避するのに適切な任意の他のモジュールを含み得る。いくつかの実施形態では、モジュールのうち１つまたは複数は、図３の処理回路３１５または図１のプロセッサ１１２を使用して実施され得る。特定の実施形態では、様々なモジュールのうち２つ以上のものの機能が単一のモジュールへと組み合わされてよい。
【００７３】
記憶モジュール５０２は、仮想コンピュータデバイス５００の記憶機能を遂行してよい。たとえば、具体的な実施形態では、記憶モジュール５０２は、ネットワークノード１００、２１２との接続を再開するのに用いるパッシブなコンテキストを記憶してよい。
【００７４】
非活性化モジュール５０４は、仮想コンピュータデバイス５００の非活性化機能を遂行してよい。たとえば、具体的な実施形態では、非活性化モジュール５０４は、ＵＥ３００がインアクティブ状態にある間に少なくとも１つのＲＢを非活性化してよく、少なくとも１つのＲＢがもはやＵＥ３００によって使用され得ないことはネットワークノード１００、２１２に通知しない。
【００７５】
シグナリングモジュール５０６は、仮想コンピュータデバイス５００のシグナリング機能を遂行してよい。たとえば、具体的な実施形態では、シグナリングモジュール５０６は、ネットワークノード１００、２１２との接続を再開するのに先立って、少なくとも１つのＲＢが局所的に非活性化されたという指示をネットワークノード１００、２１２にシグナリングしてよい。
【００７６】
仮想コンピュータデバイス５００の他の実施形態に含まれ得る、図５に示されたもの以上のさらなる構成要素は、前述の機能のうちの任意のものおよび／または（前述の解決策をサポートするのに必要なあらゆる機能を含む）任意の追加機能を含めて、無線デバイスの機能の特定の態様をもたらすことに関与し得るものである。様々な異なるタイプの無線デバイスが含み得る構成要素は、同一の物理的ハードウェアを有するが、（たとえばプログラミングによって）異なる無線アクセス技術をサポートするように設定されてよく、または部分的もしくは完全に異なる物理的構成要素を表し得る。
【００７７】
図６は、特定の実施形態による、ベアラ状態不整合を回避するための例示のネットワークノード６００を図解するものである。表されるように、ネットワークノード６００は、ネットワークノード１００、２１２など例示のネットワークノードであり、無線デバイスおよび／または別のネットワークノードと通信する任意のタイプの無線ネットワークノードまたは任意のネットワークノードでもよい。ネットワークノード１００、２１２の例は上記に与えられている。
【００７８】
ネットワークノード６００は、ネットワーク１００の全体にわたって、同質の配備、異種混合の配備、または混合の配備として配備されてよい。同質の配備は、一般に、同一の（または類似の）タイプのネットワークノード６００ならびに／あるいは類似のカバレッジおよびセルサイズおよび所在地間距離で構成された配備を記述し得る。異種混合の配備は、一般に、異なるセルサイズ、送信電力、容量、および所在地間距離を有する様々なタイプのネットワークノード６００を使用する配備を記述し得る。たとえば、異種混合の配備は、マクロセルレイアウトの全体にわたって置かれた複数の低電力ノードを含み得る。混合の配備は、同質の部分と異種混合の部分の混合を含み得る。
【００７９】
ネットワークノード６００は、トランシーバ６１０、処理回路６２０、記憶装置６３０、およびネットワークインターフェース６４０のうち１つまたは複数を含み得る。いくつかの実施形態では、トランシーバ６１０は、無線デバイスとの間の（たとえばアンテナを介した）無線信号の送受信を容易にし、処理回路６２０は、ネットワークノード６００によってもたらされると上記で説明された機能のいくつかまたはすべてをもたらす命令を実行し、記憶装置６３０は、処理回路６２０によって実行される命令を記憶し、ネットワークインターフェース６４０は、ゲートウェイ、スイッチ、ルータ、インターネット、公衆スイッチ電話ネットワーク（ＰＳＴＮ）、コアネットワークノード、または無線ネットワークコントローラなどのバックエンドネットワーク要素と信号を通信する。
【００８０】
特定の実施形態では、ネットワークノード６００は、多重アンテナ技術を使用できてよく、複数のアンテナを装備してＭＩＭＯ技術をサポートすることができてよい。１つまたは複数のアンテナが、制御可能な偏波を有し得る。言い換えれば、各要素が、異なる偏波（たとえば直交偏波のような９０度の分離）を有する２つの共同設置されたサブ要素を有し得、その結果、ビーム形成における重み付けの異なる組が、放射される波動に、異なる偏波を与えることになる。
【００８１】
処理回路６２０は、命令を実行し、データを操作して、ネットワークノード６００の説明された機能のうちいくつかまたはすべてを遂行するように、１つまたは複数のモジュールで実施された、ハードウェアとソフトウェアの任意の適切な組合せを含み得る。いくつかの実施形態では、処理回路６２０は、たとえば、１つまたは複数のコンピュータ、１つまたは複数の中央処理装置（ＣＰＵ）、１つまたは複数のマイクロプロセッサ、１つまたは複数のアプリケーション、および／または他のロジックを含み得る。
【００８２】
記憶装置６３０は、一般に、コンピュータプログラム、ソフトウェアなどの命令、ロジック、ルール、アルゴリズム、コード、テーブルなどのうち１つまたは複数を含むアプリケーション、および／またはプロセッサによって実行され得る他の命令を記憶するように動作可能である。記憶装置６３０の例には、コンピュータメモリ（たとえばランダムアクセスメモリ（ＲＡＭ）または読取り専用メモリ（ＲＯＭ））、大容量記憶媒体（たとえばハードディスク）、リムーバブル記憶媒体（たとえばコンパクトディスク（ＣＤ）またはデジタルビデオディスク（ＤＶＤ））、ならびに／あるいは、情報を記憶する、任意の他の揮発性または不揮発性の記憶デバイス、コンピュータ可読の非一時的記憶デバイス、および／またはコンピュータ実行可能な記憶デバイスが含まれる。
【００８３】
いくつかの実施形態では、ネットワークインターフェース６４０は、処理回路６２０に対して通信可能に結合されており、ネットワークノード６００の入力を受信するように動作可能な任意の適切なデバイスを指してよく、ネットワークノード６００から出力を送り、入力または出力または両方の適切な処理を遂行し、他のデバイスと通信し、あるいは前出のことの任意の組合せが可能である。ネットワークインターフェース６４０は、ネットワークによって通信するためのプロトコル変換およびデータ処理の能力を含む、適切なハードウェア（たとえばポート、モデム、ネットワークインターフェースカードなど）およびソフトウェアを含み得る。
【００８４】
ネットワークノード６００の他の実施形態は、図６に示されたもの以上に、前述の機能のうち任意のものおよび／または任意の追加機能を含む（前述の解決策をサポートするのに必要なあらゆる機能を含む）無線ネットワークノードの機能の特定の態様をもたらすことに関与するさらなる構成要素を含み得る。様々な異なるタイプのネットワークノードが含み得る構成要素は、同一の物理的ハードウェアを有するが、（たとえばプログラミングによって）異なる無線アクセス技術をサポートするように設定されてよく、または部分的もしくは完全に異なる物理的構成要素を表し得る。加えて、「第１の」および「第２の」という用語は例示のためにのみ与えられ、交換可能である。
【００８５】
図７は、特定の実施形態による、ベアラ状態不整合を回避するための、ネットワークノード６００による例示の方法７００を図解するものである。この方法は、ネットワークノード６００が、インアクティブ状態にあるＵＥ３００との接続を再開するのに用いるパッシブなコンテキストを記憶するステップ７０２において始まる。具体的な実施形態では、パッシブなコンテキストは、ネットワークノード６００との接続を再開するのに用いる１つまたは複数のリソースを含み得、１つまたは複数のリソースは少なくとも１つの無線ベアラを備える。
【００８６】
ステップ７０２において、ＵＥ３００が接続の再開を試行するのに先立って、ネットワークノード６００は、ＵＥ３００がインアクティブ状態にある間に、ＵＥ３００から、少なくとも１つの無線ベアラがＵＥ３００において局所的に非活性化されたという指示を受信する。具体的な実施形態によれば、この指示は、ネットワークノード６００との接続を再開するための要求、ＵＥ３００のインアクティブ状態から接続状態への移行の成功の確認、または新規のＲＲＣ接続の要求とともに含まれ得る。
【００８７】
ステップ７０４において、ネットワークノード６００は、ベアラ状態不整合を回避するために、ＵＥ３００に関連したベアラ状態を修正する。具体的な実施形態では、ベアラ状態を修正するステップは、指示において識別された少なくとも１つの無線ベアラを解放するステップ、ならびに／あるいは指示において識別された少なくとも１つの無線ベアラおよびＵＥ３００に関連したすべての他の無線ベアラを解放するステップを含み得る。それに加えて、またはその代わりに、ネットワークノード６００は、指示において識別された少なくとも１つの無線ベアラの再確立を一時停止してよく、あるいは指示において識別された少なくとも１つの無線ベアラおよびＵＥ３００に関連したすべての他の無線ベアラの再確立を一時停止してもよい。他の実施形態では、ネットワークノード６００は、それに加えて、またはその代わりに、指示において識別された少なくとも１つの無線ベアラの再確立を遅延させてよく、あるいはＵＥ３００に関連したすべての無線ベアラの再確立を遅延させ、かつ／またはＵＥ３００に障害応答を送って、接続を再確立し得ないことをＵＥ３００に通知してもよい。
【００８８】
表されていないが、この方法は、ネットワークノード６００が、コアノード２３０に、ベアラ状態が修正されていることを指示して、更新されたベアラ状態情報を要求する、第１のメッセージを送信するステップをさらに含み得る。次いで、ネットワークノード６００は、コアノード２３０から、更新されたベアラ状態情報を含む第２のメッセージを受信してよい。次いで、ネットワークノード６００は、更新されたベアラ状態情報を用いてＵＥ３００を設定してよい。
【００８９】
特定の実施形態では、上記で説明されたような、ベアラ状態不整合を回避するための方法は、仮想コンピュータデバイスによって遂行され得る。図８は、特定の実施形態による、ベアラ状態不整合を回避するための例示の仮想コンピュータデバイス８００を図解するものである。特定の実施形態では、仮想コンピュータデバイス８００は、図７に図解されて説明された方法に関して上記で説明されたものに類似のステップを遂行するためのモジュールを含み得る。たとえば、仮想コンピュータデバイス８００は、少なくとも１つの記憶モジュール８０２、受信モジュール８０４、修正モジュール８０６、およびベアラ状態不整合を回避するのに適切な任意の他のモジュールを含み得る。いくつかの実施形態では、モジュールのうち１つまたは複数は、図６の処理回路６２０または図１のプロセッサ１０２を使用して実施され得る。特定の実施形態では、様々なモジュールのうち２つ以上のものの機能が単一のモジュールへと組み合わされてよい。
【００９０】
記憶モジュール８０２は、仮想コンピュータデバイス８００の記憶機能を遂行してよい。たとえば、具体的な実施形態では、記憶モジュール８０２は、インアクティブ状態にあるＵＥ３００との接続を再開するのに用いるパッシブなコンテキストを記憶してよい。具体的な実施形態では、パッシブなコンテキストは、ネットワークノード６００との接続を再開するのに用いる１つまたは複数のリソースを含み得、１つまたは複数のリソースは少なくとも１つの無線ベアラを備える。
【００９１】
受信モジュール８０４は、仮想コンピュータデバイス８００の受信機能を遂行してよい。たとえば、具体的な実施形態では、ＵＥ３００が接続の再開を試行するのに先立って、受信モジュール８０４は、ＵＥ３００がインアクティブ状態にある間に、ＵＥ３００から、少なくとも１つの無線ベアラがＵＥ３００において局所的に非活性化されたという指示を受信してよい。
【００９２】
修正モジュール８０６は、仮想コンピュータデバイス８００の修正機能を遂行してよい。たとえば、具体的な実施形態では、修正モジュール８０６は、ベアラ状態不整合を回避するために、ＵＥ３００に関連したベアラ状態を修正してよい。単なる一例として、修正モジュール８０６がベアラ状態を修正するステップは、指示において識別された少なくとも１つの無線ベアラを解放するステップ、ならびに／あるいは指示において識別された少なくとも１つの無線ベアラおよびＵＥ３００に関連したすべての他の無線ベアラを解放するステップを含み得る。
【００９３】
仮想コンピュータデバイス８００の他の実施形態に含まれ得る、図８に示されたもの以上のさらなる構成要素は、前述の機能のうちの任意のものおよび／または（前述の解決策をサポートするのに必要なあらゆる機能を含む）任意の追加機能を含めて、ネットワークノードの機能の特定の態様をもたらすことに関与し得るものである。様々な異なるタイプのネットワークノードが含み得る構成要素は、同一の物理的ハードウェアを有するが、（たとえばプログラミングによって）異なる無線アクセス技術をサポートするように設定されてよく、または部分的もしくは完全に異なる物理的構成要素を表し得る。
【００９４】
図９は、特定の実施形態による、例示的な無線ネットワークコントローラまたはコアネットワークノードを図解するものである。ネットワークノードの例には、移動交換センタ（ＭＳＣ）、サービングＧＰＲＳサポートノード（ＳＧＳＮ）、移動性管理エンティティ（ＭＭＥ）、無線ネットワークコントローラ（ＲＮＣ）、基地局コントローラ（ＢＳＣ）などが含まれ得る。無線ネットワークコントローラまたはコアネットワークノード９００は、処理回路９０２、記憶装置９０４、およびネットワークインターフェース９０６を含む。いくつかの実施形態では、処理回路９０２は、ネットワークノードによってもたらされるものと上記で説明された機能のいくつかまたはすべてをもたらす命令を実行し、記憶装置９０４は、処理回路９０２によって実行される命令を記憶し、ネットワークインターフェース９０６は、ゲートウェイ、スイッチ、ルータ、インターネット、公衆スイッチ電話ネットワーク（ＰＳＴＮ）、ネットワークノード、無線ネットワークコントローラまたはコアネットワークノード９００などの任意の適切なノードと信号を通信する。
【００９５】
処理回路９０２は、命令を実行し、データを操作して、無線ネットワークコントローラまたはコアネットワークノード９００の説明された機能のうちいくつかまたはすべてを遂行するように、１つまたは複数のモジュールで実施された、ハードウェアとソフトウェアの任意の適切な組合せを含み得る。いくつかの実施形態では、処理回路９０２は、たとえば、１つまたは複数のコンピュータ、１つまたは複数の中央処理装置（ＣＰＵ）、１つまたは複数のマイクロプロセッサ、１つまたは複数のアプリケーション、および／または他のロジックを含み得る。
【００９６】
記憶装置９０４は、一般に、コンピュータプログラム、ソフトウェアなどの命令、ロジック、ルール、アルゴリズム、コード、テーブルなどのうち１つまたは複数を含むアプリケーション、および／またはプロセッサによって実行され得る他の命令を記憶するように動作可能である。記憶装置９０４の例には、コンピュータメモリ（たとえばランダムアクセスメモリ（ＲＡＭ）または読取り専用メモリ（ＲＯＭ））、大容量記憶媒体（たとえばハードディスク）、リムーバブル記憶媒体（たとえばコンパクトディスク（ＣＤ）またはデジタルビデオディスク（ＤＶＤ））、ならびに／あるいは、情報を記憶する、任意の他の揮発性または不揮発性の記憶デバイス、コンピュータ可読の非一時的記憶デバイス、および／またはコンピュータ実行可能な記憶デバイスが含まれる。
【００９７】
いくつかの実施形態では、ネットワークインターフェース９０６は、処理回路９０２に対して通信可能に結合されており、ネットワークノードの入力を受信するように動作可能な任意の適切なデバイスを指してよく、ネットワークノードから出力を送り、入力または出力または両方の適切な処理を遂行し、他のデバイスと通信し、あるいは前出のことの任意の組合せが可能である。ネットワークインターフェース９０６は、ネットワークによって通信するためのプロトコル変換およびデータ処理の能力を含む、適切なハードウェア（たとえばポート、モデム、ネットワークインターフェースカードなど）およびソフトウェアを含み得る。
【００９８】
ネットワークノードの他の実施形態に含まれ得る、図９に示されたもの以上のさらなる構成要素は、前述の機能のうちの任意のものおよび／または（前述の解決策をサポートするのに必要なあらゆる機能を含む）任意の追加機能を含めて、ネットワークノードの機能の特定の態様をもたらすことに関与し得るものである。
【００９９】
本開示の範囲から逸脱することなく、本明細書で説明されたシステムおよび装置に対する修正、追加、または省略が可能である。システムおよび装置の構成要素は、一体化したり分離したりすることができる。その上に、システムおよび装置の動作は、より多数の構成要素、より少数の構成要素、または他の構成要素によって遂行されてよい。加えて、システムおよび装置の動作は、ソフトウェア、ハードウェア、および／または他のロジックを備える任意の適切なロジックを使用して遂行されてよい。この文献で使用されるように、「各」は、組の各部材または組のサブセット各部材を指す。
【０１００】
本開示の範囲から逸脱することなく、本明細書で説明された方法に対する修正、追加、または省略が可能である。本明細書で説明されたいかなるステップまたは機能も、特定の実施形態の単なる例証である。すべての実施形態が、開示されたステップまたは機能のすべてを組み込まなければならないわけではなく、ステップが、本明細書で表現された、または説明された、正確な順番で遂行されなければならないわけでもない。その上、いくつかの実施形態は、本明細書で開示されたステップのうち１つまたは複数に固有のステップを含めて、本明細書における図解または説明のないステップまたは機能を含み得る。
【０１０１】
あらゆる適切なステップ、方法、または機能が、たとえば上記の図のうち１つまたは複数において図解された構成要素および機器によって実行され得るコンピュータプログラム製品によって遂行されてよい。単なる一例として、記憶機構３３０は、コンピュータプログラムを記憶することができるコンピュータ可読手段を備え得る。コンピュータプログラムが含み得る命令により、処理回路３１５（ならびに任意の動作可能に結合されたエンティティおよびデバイス）は、本明細書で説明された実施形態による方法を実行する。したがって、コンピュータプログラムおよび／またはコンピュータプログラム製品は、本明細書で開示された任意のステップを遂行するための手段を提供し得る。
【０１０２】
発明概念の特定の態様が、少数の実施形態を参照しながら主として説明されてきた。しかしながら、当業者には容易に認識されるように、上記で開示されたもの以外の実施形態も同様に可能であり、発明概念の範囲内である。同様に、いくつかの異なる組合せが論じられてきたが、すべての可能な組合せが開示されたわけではない。当業者なら、発明概念の範囲内に他の組合せが存在することを認識するであろう。その上に、当業者には理解されるように、本明細書で開示された実施形態自体が、他の規格および通信システムに適用可能であり、他の機能に関連して開示された特別な図からのいかなる機能も、任意の他の図に適用可能であり、かつ／または異なる機能と組み合わされ得る。
【０１０３】
この開示は特定の実施形態に関して説明されてきたが、当業者には実施形態の改変形態および置換形態が明白であろう。それゆえに、実施形態の上記の説明がこの開示に制約を加えることはない。以下の特許請求の範囲によって規定されるように、この開示の趣旨および範囲から逸脱することなく、他の変更形態、置き換え形態、および改変形態が可能である。
【図１】
2019536318.tif 000003
【図２】
2019536318.tif 000004
【図３】
2019536318.tif 000005
【図４】
2019536318.tif 000006
【図５】
2019536318.tif 000007
【図６】
2019536318.tif 000008
【図７】
2019536318.tif 000009
【図８】
2019536318.tif 000010
【図９】
2019536318.tif 000011
【国際調査報告】
2019536318.tif 000012
2019536318.tif 000013
2019536318.tif 000014